(57)【要約】【課題】使用時まで完全に密封状態を保ち、蓋部を注出口から分離した後、チューブ栄養用チューブの取付け可能なアダプターを取付けて流動食の注入をすることができるワンパーツの注出口及びこの注出口を備えるチューブ栄養用の注出口付き包装袋を提供する。【解決手段】注出口は、柔軟容器の外側に位置せしめられる円筒部と、柔軟容器の内面に固着されるシール部とからなる注出口本体と、前記注出口本体の円筒部の端部に薄肉部を介して連結された蓋部とを備える。前記蓋部は、前記薄肉部を破断して注出口本体から分離可能であり、且つ注出口本体から分離した後に前記円筒部内に装着可能な嵌合部を備える。円筒部の外周面には雄螺子が設けられ、チューブ栄養用チューブを取付け可能なノズル部を有するアダプターと螺子嵌合可能に形成されている。【選択図】図２
2005298061.tif 000002
【特許請求の範囲】
【請求項１】
柔軟容器の外側に位置せしめられる円筒部と、柔軟容器の内面に固着されるシール部とからなる注出口本体と、前記注出口本体の円筒部の端部に薄肉部を介して連結された有底筒状の蓋部とを備え、前記蓋部は、前記薄肉部を破断して注出口本体から分離可能であり、且つ注出口本体から分離した後に前記円筒部内に装着可能な嵌合部を備え、円筒部の外周面には雄螺子が設けられ、チューブ栄養用チューブを取付け可能なノズル部を有するアダプターと螺子嵌合可能に形成されていることを特徴とする注出口。
【請求項２】
蓋部は嵌合部の上に連設された取っ手を備えることを特徴とする請求項１に記載の注出口。
【請求項３】
取っ手の内側の空洞の下部に底板が設けられていることを特徴とする請求項１乃至２に記載の注出口。
【請求項４】
嵌合部の内側の空洞の下部に底板が設けられていることを特徴とする請求項１乃至２に記載の注出口。
【請求項５】
取っ手の上下にそれぞれ鍔が設けられていることを特徴とする請求項１乃至４の何れか一項に記載の注出口。
【請求項６】
取っ手の円筒面に複数の横リブが設けられていることを特徴とする請求項１乃至５の何れか一項に記載の注出口。
【請求項７】
取っ手の内側の空洞は治具の嵌合に適した形状に形成されていることを特徴とする請求項１乃至６の何れか一項に記載の注出口。
【請求項８】
取っ手の内側の空洞は六角筒状に形成されていることを特徴とする請求項７に記載の注出口。
【請求項９】
取っ手の内側の空洞は断面十字型の筒状に形成されていることを特徴とする請求項７に記載の注出口。
【請求項１０】
取っ手に把持突起が突設されていることを特徴とする請求項１乃至５の何れか一項に記載の注出口。
【請求項１１】
取っ手に把持突起装着穴が１８０°の間隔をおいて２つ設けられていることを特徴とする請求項１乃至５の何れか一項に記載の注出口。
【請求項１２】
薄肉部が円形に形成されていることを特徴とする請求項１乃至１１の何れか一項に記載の注出口。
【請求項１３】
薄肉部が六角形に形成されていることを特徴とする請求項１乃至１１の何れか一項に記載の注出口。
【請求項１４】
薄肉部が円形の一部にくちばし状の突起部が２つある形状に形成されていることを特徴とする請求項１乃至１１の何れか一項に記載の注出口。
【請求項１５】
蓋部の嵌合部は縦方向に弓型の、中央部が全周にわたり突き出した外周面を有することを特徴とする請求項１乃至１４の何れか一項に記載の注出口。
【請求項１６】
蓋部の下端には嵌合部の注出口の円筒部内への挿入を容易にする誘いテーパが設けられていることを特徴とする請求項１乃至１５の何れか一項に記載の注出口。
【請求項１７】
円筒部とシール部の間にフランジが設けられていることを特徴とする請求項１乃至１６の何れか一項に記載の注出口。
【請求項１８】
フランジ及びシール部は略菱形に形成されていることを特徴とする請求項１乃至１７の何れか一項に記載の注出口。
【請求項１９】
シール部はその両端にヒレを有し、ヒレの下端はＲを有する形状に形成されていることを特徴とする請求項１乃至１８の何れか一項に記載の注出口。
【請求項２０】
シール面はフラットに形成されていることを特徴とする請求項１乃至１９の何れか一項に記載の注出口。
【請求項２１】
シール部のシール面及び内側面は大きなＲを有する形状に形成されていることを特徴とする請求項１乃至２０の何れか一項に記載の注出口。
【請求項２２】
シール部はその内側に補強リブを持っていないことを特徴とする請求項１乃至２１の何れか一項に記載の注出口。
【請求項２３】
高密度ポリエチレンと低密度ポリエチレンのブレンドポリマーの成形体からなることを特徴とする請求項１項乃至２２の何れか一項に記載の注出口。
【請求項２４】
高密度ポリエチレンと低密度ポリエチレンのブレンドポリマーは高密度ポリエチレン対低密度ポリエチレンのブレンド比５／５〜９／１、好ましくは６／４から８／２を有することを特徴とする請求項２３に記載の注出口。
【請求項２５】
柔軟容器と、この柔軟容器に取り付けられる注出口とからなり、前記注出口は、柔軟容器の外側に位置せしめられる円筒部と、柔軟容器の内面に固着されるシール部とからなる注出口本体と、前記注出口本体の円筒部の端部に薄肉部を介して連結された有底筒状の蓋部とを備え、前記蓋部は、前記薄肉部を破断して注出口本体から分離可能であり、且つ注出口本体から分離した後に前記円筒部内に装着可能な嵌合部を備え、円筒部の外周面には雄螺子が設けられ、チューブ栄養用チューブを取付け可能なノズル部を有するアダプターと螺子嵌合可能に形成されていることを特徴とする注出口付き包装体。
【発明の詳細な説明】
【技術分野】
【０００１】
本発明は、チューブ栄養用チューブを取付け可能なノズル部を有するアダプターと螺子嵌合可能な注出口及びチューブ栄養に用いられる注出口付き包装体に関する。
【背景技術】
【０００２】
従来から、胃、十二指腸、或いは小腸内にゴム管又は合成樹脂製細管に挿入・固定し、この管を通して栄養する、チューブ栄養法が、経口的に栄養することができない患者に対して実施されている。注入食は、成分栄養剤或いは完全流動食で、必要な栄養素、カロリー、水分、電解質、ビタミン等を含み、吸収されやすいものでなければならない。また、流動食として天然の食品を素材として調製した天然濃厚流動食と、人口濃厚流動食を混合してなる混合濃厚流動食も用いられている（非特許文献１参照）。注入食用容器として、実際に、図２３に示すようにバッグ状の柔軟容器４０に、チューブ栄養用チューブを取付け可能なノズル部６０と、注入口７０を備え、注入口７０を通して柔軟容器４０内の注入食に必要に応じて栄養剤或いは天然濃厚流動食等を添加できるように構成された所謂２ピース型のチューブ栄養用柔軟容器が用いられている。さらに、注出口と、この注出口に薄肉部を介してキャップが連結され、注出口とキャップは一体成形されており、薄肉部を破断して注出口からキャップを分離した後、そのままの姿勢でキャップを注出口の円筒状部内に押し込み、薄肉部の破断時に形成されるキャップの環状破断端を、円筒状部の内面に円周方向に設けられた係合突起を乗り越えて係合突起と係合させることによって注出口を密封することができる注出口組立体が発明されている（特許文献１参照）。
【非特許文献１】看護学大辞典、第四版、（株）メジカルフレンド社、平成６年１１月２５日、ｐ１３８２、ｐ１５９９
【特許文献１】特開平１０−８６９５３号公報
【発明の開示】
【発明が解決しようとする課題】
【０００３】
しかしながら、従来常用されている２ピース型のチューブ栄養用柔軟容器は、ノズル部及び注入口を柔軟容器の周辺部に装着した状態で一辺部を残して他辺部をシールして一辺部が開いたノズル部及び注入口付き柔軟容器を製造し、このノズル部及び注入口付き柔軟容器内に注入食を充填後、未だシールしていない柔軟容器の辺部をシールしなければならず、ワンパーツの注出口を備える包装体に比べて製造の手間がかかり、製造コストもかかるという欠点がある。また、特許文献１に記載の注出口は、キャップを取り外した後、チューブ栄養用チューブの取付け可能なアダプターを取付けることができないので、この注出口を通しての流動食の注入は出来ないのみならず、円筒状部の内面に係合突起が存在し、この係合突起が流動食のスムーズな注入の妨げとなるので好ましくない。本発明の課題は、使用時まで完全に密封状態を保ち、蓋部を注出口から分離した後、チューブ栄養用チューブの取付け可能なアダプターを取付けて流動食の注入をすることができるワンパーツの注出口及びこの注出口を備えるチューブ栄養用の注出口付き包装袋を提供することである。
【課題を解決するための手段】
【０００４】
請求項１に記載の発明は、上記の注出口に関する課題を解決するもので、柔軟容器の外側に位置せしめられる円筒部と、柔軟容器の内面に固着されるシール部とからなる注出口本体と、前記注出口本体の円筒部の端部に薄肉部を介して連結された有底筒状の蓋部とを備え、前記蓋部は、前記薄肉部を破断して注出口本体から分離可能であり、且つ注出口本体から分離した後に前記円筒部内に装着可能な嵌合部を備え、円筒部の外周面には雄螺子が設けられ、チューブ栄養用チューブを取付け可能なノズル部を有するアダプターと螺子嵌合可能に形成されていることを特徴とする注出口を要旨とする。
【０００５】
本発明の注出口は上記のように構成されているので、この注出口を柔軟容器に装着した状態で柔軟容器を密封してなる注入食の包装体を製造することができる。そしてこの注入食入り包装体を用い、先ず蓋部を注出口本体から取り除かない状態で容器のままお湯に入れて体温程度に加温した後に、薄肉部を破断して注出口本体から蓋部を取り除いた後に、チューブ栄養用チューブを取付け可能なノズル部を有するアダプターを注出口本体の円筒部に螺子嵌合して固定し、胃、十二指腸、或いは小腸内に挿入・固定したチューブ栄養用チューブの一端にアダプターのノズル部を取付け、経口的に栄養することができない患者に注入食を摂取させることができる。また、注出口から必要に応じて柔軟容器内の人口濃厚流動食に栄養剤や天然濃厚流動食を添加したものを、同様にして体温程度に加温し、ノズル部及びチューブ栄養用チューブを通して患者に摂取させることが出来る。また、開封後に全量を使わずに残した注入食を保存する場合蓋部の嵌合部を注出口本体の口部に装着することにより密封して冷蔵することができる。
【０００６】
本発明において、薄肉部は、円形、六角形、又は円形の一部にくちばし状突起部が１８０度間隔で設けられた形状に形成することができる。特に六角形、又は円形の一部にくちばし状突起部が１８０度間隔で設けられた形状の薄肉部は、蓋部を注出口本体に対して折り曲げて薄肉部を破断することが容易となる。
【０００７】
本発明において、蓋部は嵌合部の上に連設された、取っ手を備え、また、取っ手の上下にそれぞれ鍔が設けられていることが望ましい。このように構成されていることにより、取っ手を持って蓋部を注出口本体から折り取り、また、取っ手を持って蓋部の嵌合部を注出口本体の口部に装着して密封する動作が容易となる。
【０００８】
蓋部の底板は取っ手の内側の空洞の下部、または嵌合部の内側の下部に設けられている。特に底板が嵌合部の内側の空洞の下部に設けられているとき、嵌合部内の空洞部に液だまりが発生することが防止され、好ましい。
【０００９】
また、取っ手に複数の横リブが設けられていることにより、取っ手を確実に把持することが可能となる。
【００１０】
また、取っ手の内側の空洞は治具の嵌合に適した形状、例えば六角形あるいは十字型に形成されていることが望ましい。このように構成されていることにより、蓋部を注出口本体から折り取る作業を治具を用いて容易に行うことができる。
【００１１】
また、前記治具として、把持突起付き治具を用いてもよい、このような把持突起付き治具を用いることにより、把持突起を持って蓋部を注出口本体から折り取る作業を更に容易に行うことができる。
【００１２】
本発明に係る注出口においては、取っ手に薄板状又は棒状の把持突起を突設してもよい。このように構成されていることにより、把持突起を持って蓋部を容器本体に対して捩じるか又は折って注出口本体から折取ることができ、蓋部の折り取りが容易となる。
【００１３】
また、本発明において、取っ手に把持突起装着用穴を１８０°の間隔をおいて設けてもよい。このように構成されていることにより、把持突起を取っ手に装着し、把持突起を持って蓋部を容器本体に対して捩じるか又は折って注出口本体から折取ることができ、蓋部の折り取りが容易となる。
【００１４】
また、本発明において、蓋部の嵌合部は縦方向に弓型の、中央部が全周にわたり突き出した外周面を有する。このように構成された嵌合部の中央部は円筒部内面に密着し注出口本体を密封する。しかも円筒部内面には特許文献１に見られるような係合突起は存在しないので、注出口本体の円筒部内で液だまりが発生することがない。
【００１５】
また、本発明において、蓋部の下端には嵌合部の注出口の円筒部内への挿入を容易にする誘いテーパが設けられていることが望ましい。このように構成されていることにより、蓋部の嵌合部を容器本体の円筒部内に挿入することが容易となる。
【００１６】
また、本発明において、円筒部とシール部の間にフランジが設けられており、このフランジ及びシール部は略菱形に形成されている。このように構成されていることにより、注出口のシール部を柔軟容器のシール部内に挿入することが容易となる。
【００１７】
又、本発明において注出口のシール部はその両端にヒレを有し、ヒレの下端はＲを有する形状に形成されている。このように構成されていることにより、注出口のシール部の柔軟容器の内面へのシール性が向上し、また、樹脂だまりも防止される。
【００１８】
また、注出口のシール面はリブ等を設けずにフラットに形成することが望ましい。このように構成されていることにより、柔軟容器の内面へのシール密着面が多くなり、未シール部或いは不完全なシール部が少なくなり、レトルト殺菌しても剥離せずに密封状態を維持することができる。
【００１９】
また、シール部のシール面及び内側面は大きなＲを有する形状に形成されている。このように構成されていることにより、シール部の変形が防止される。
【００２０】
また、注出口のシール部はその内側に補強リブを備えても良いが、補強リブはないほうが望ましい。それというのも、補強リブが存在しないことにより、樹脂のヒケが防止され、また、液だまりが防止されるからである。
【００２１】
請求項２５はチューブ栄養用の注出口付き包装袋に関する課題を解決するもので、柔軟容器と、この柔軟容器に取り付けられる注出口とからなり、前記注出口は、柔軟容器の外側に位置せしめられる円筒部と、柔軟容器の内面に固着されるシール部とからなる注出口本体と、前記注出口本体の円筒部の端部に薄肉部を介して連結された有底筒状の蓋部とを備え、前記蓋部は、前記薄肉部を破断して注出口本体から分離可能であり、且つ注出口本体から分離した後に前記円筒部内に装着可能な嵌合部を備え、円筒部の外周面には雄螺子が設けられ、チューブ栄養用チューブを取付け可能なノズル部を有するアダプターと螺子嵌合可能に形成されていることを特徴とする注出口付き包装体を要旨とする。
【００２２】
本発明の注出口付き包装体によれば、先ず蓋部を注出口本体から取り除かない状態で容器のままお湯に入れて体温程度に加温した後に、薄肉部を破断して注出口本体から蓋部を取り除いた後に、チューブ栄養用チューブを取付け可能なノズル部を有するアダプターを注出口本体の円筒部に螺子嵌合して固定し、胃、十二指腸、或いは小腸内に挿入・固定したチューブ栄養用チューブの一端にノズル部を取付け、経口的に栄養することができない患者に注入食を摂取させることが出来る。また、注出口から必要に応じて柔軟容器内の人口濃厚流動食に栄養剤や天然濃厚流動食を添加したものを、同様にして体温程度に加温し、ノズル部及びチューブ栄養用チューブを通して患者に摂取させることが出来る。また、開封後に全量を使わずに残した注入食を保存する場合蓋部の嵌合部を注出口本体の口部に装着することにより密封して冷蔵することができる。本発明の注出口付き包装体は、２ピース型の包装体に比較してノズル部と注入口を容器に装着する手間を省いてより低い製造コストで提供することができる。
【発明の効果】
【００２３】
本発明の注出口によれば、この注出口を注入食が入った柔軟容器に取り付けた状態で柔軟容器を密封して注入食の包装体を製造し、この注入食入り包装体を用い、先ず蓋部を注出口本体から取り除かない状態で容器のままお湯に入れて体温程度に加温した後に、薄肉部を破断して注出口本体から蓋部を取り除いた後に、チューブ栄養用チューブを取付け可能なノズル部を有するアダプターを注出口本体の円筒部に螺子嵌合して固定し、胃、十二指腸、或いは小腸内に挿入・固定したチューブ栄養用チューブの一端にアダプターのノズル部を取付け、経口的に栄養することができない患者に注入食を摂取させることができる。また、注出口から必要に応じて柔軟容器内の人口濃厚流動食に栄養剤や天然濃厚流動食を添加したものを、同様にして体温程度に加温し、ノズル部及びチューブ栄養用チューブを通して患者に摂取させることが出来る。また、開封後に全量を使わずに残した注入食を保存する場合蓋部の嵌合部を注出口本体の口部に装着することにより密封して冷蔵することができる。
【００２４】
また、本発明の注出口において、高密度ポリエチレンと低密度ポリエチレンのブレンドポリマーからなるものは、レトルト耐性を備えしかも注出口本体と蓋部の間の薄肉部の破断が容易であり、蓋部を注出口本体から容易に折取ることができ。利点を有する。
【００２５】
本発明の注出口付き包装体は、２ピース型の包装体に比較してノズル部と注入口を容器に装着する手間を省いて、より低い製造コストで提供することができる。
【発明を実施するための最良の形態】
【００２６】
次に図面を参照して本発明の注出口について説明する。
【００２７】
図１は本発明の注出口の側面図を示す。図２は図１のＡ−Ａ線矢視縦断面図である。図３は本発明の注出口の平面図を示す。図４は本発明の注出口の底面図を示す。
【００２８】
本発明の注出口２０は、柔軟容器の外側に位置せしめられる円筒部１２と、柔軟容器の内面に固着されるシール部１５とからなる注出口本体２と、注出口本体２の円筒部１２の端部に図２及び図５に示すような円形の薄肉部９を介して連結された有底筒状の蓋部１とを備える。蓋部１は、薄肉部９を破断して注出口本体２から分離可能であり、且つ注出口本体２から蓋体１を取り除いた後に円筒部１２内に装着可能な嵌合部８を備える。円筒部１２の外周面には雄螺子１３が設けられ、図１３に示すチューブ栄養用チューブを取付け可能なノズル部を有するアダプター３０と螺子嵌合可能に形成されている。また、アダプター３０の円筒部１２への嵌合を容易にするように円筒部１２の上方角部にテーパ１１が付けられている。
【００２９】
尚、薄肉部９は図５に示すような円形の薄肉部に代えて図６に示す様な六角形の薄肉部、あるいは図７に示す様な円形の一部にくちばし状突起部が１８０度間隔で設けられた形状とすることができる。薄肉部を図６または図７に示すような形状とすることにより蓋部１を注出口本体２に対して折り曲げて薄肉部を破断することが容易となる。尚、薄肉部を円形以外の形状にするときは少なくとも嵌合部の下方部を薄肉部の形状に合わせて形成しなければならないことはいうまでもないことである。
【００３０】
蓋部１は、嵌合部８の上に連設された、内部が空洞で、空洞の下部が底板７で塞がれた有底円筒状の取っ手３を備える。空洞部が取っ手３の上下にそれぞれ鍔４、５が設けられている。また、取っ手３の外周面に複数の横リブ６が形成されている。このように構成されていることにより、取っ手３を持って蓋部１を容器本体２から折り取り、また、図１１に示すように取っ手３を持って蓋部１の嵌合部８を注出口本体２の口部に装入して密封する動作が容易となる。また、取っ手３に複数の横リブ６は滑り止めの機能を果たし、それ故、取っ手３を確実に把持することが可能となる。
【００３１】
また、取っ手３の内側の空洞は治具の嵌合に適した形状に形成されていることが望ましい。例えば図９に示すように６角筒状の内面３ａに形成してもよい。あるいは図１０に示すように断面十字型筒状の内面３ｂに形成してもよい。このように構成されていることにより、蓋部１を容器本体２から折り取る作業を治具を用いて容易に行うことができる。
【００３２】
また、前記治具として、図１５に示すような把持突起２６ａの付いた把持突起付き治具２６を用いてもよい、このような把持突起付き治具を用いることにより、図１６に示すように把持突起２６ａを持って蓋部１を注出口本体２から折り取る作業を更に容易に行うことができる。
【００３３】
本発明に係る注出口においては、図１７に示すように板状の把持突起２７を突設してもよい。板状の把持突起に代えて棒状の把持突起を突設してもよい。このように構成されていることにより、把持突起２７を持って蓋部１を容器本体２に対して捩じるか又は折って注出口本体２から折取ることができ、蓋部の折り取りが容易となる。
【００３４】
また、本発明において、図１８に示すように取っ手３に把持突起装着用穴２８ａ、２８ｂを１８０°の間隔をおいて設けてもよい。このように構成されていることにより、把持突起２９を取っ手３に装着し、把持突起３を持って蓋部１を容器本体２に対して捩じるか又は折って注出口本体から折取ることができ、蓋部の折り取りが容易となる。
【００３５】
また、本発明において、蓋部１の嵌合部８は、図１、図２に示すように縦方向に弓型の、中央部が全周にわたり突き出した外周面を有する。このように構成された嵌合部８の中央部は、嵌合部８を注出口本体２の円筒部１２内に挿入したとき、図１１に示すように円筒部１２の内面に密着し注出口本体１を密封する。しかも円筒部１２の内面には特許文献１に見られるような係合突起は存在しないので、円筒部１２内で液だまりが発生することがない。
【００３６】
また、蓋部１の下端には嵌合部８の円筒部１２内への挿入を容易にする誘いテーパ１０（図２）が設けられていることが望ましい。この誘いテーパ１０が存在することにより、嵌合部８を円筒部３内に挿入することが容易となる。
【００３７】
円筒部１２とシール部１５の間にフランジ１４が設けられている。このフランジ１４及びシール部１５は、図３、図４に示すように略菱形に形成されている。このように構成されていることにより、図１４に示すように注出口２０を軟質容器４０に取り付けるとき、注出口２０のシール部１５を柔軟容器４０のシール部内に挿入することが容易となる。
【００３８】
注出口２０のシール部１５は、図１及び図４に示すようにその両端にヒレ１６を有し、ヒレ１６の下端はＲを有する形状に形成されている。このように構成されていることにより、注出口２０のシール部１５の柔軟容器の内面へのシール性が向上し、また、樹脂だまりも防止される。
【００３９】
また、注出口２０のシール部のシール面はリブ等を設けずにフラットに形成することが望ましい。このように構成されていることにより、柔軟容器の内面へのシール密着面が多くなり、未シール部或いは不完全なシール部が少なくなり、充分に柔軟容器のシール面に対してシール部１５を固着することができ、しかもレトルト殺菌しても剥離せずに密封状態を維持することができる。
【００４０】
シール部１５の外側面（シール面）及び内側面は大きなＲを有する形状に形成されている。図８は、シール部の横断面を拡大して示し、シール部１５の外側面が仮想線ａよりも外側に出て仮想線ｂに接するように外側に膨らんで大きなＲを有する形状に形成されており、しかも内側面も大きなＲで内側に膨らんでいる状態を示す。このように構成されていることにより、シール部１５の変形が防止される。
【００４１】
また、注出口２０のシール部１５の内側には補強リブを設けてもよい。しかし、図４に示すように、その内側に補強リブを持っていないことが望ましい。それというのも、補強リブが存在しないことにより、樹脂のヒケが防止され、また、液だまりが防止されるからである。
【００４２】
図１２は本発明の変形態様を示す。この変形態様においては蓋部の底板７は取っ手３の内側の空洞の下部ではなく、嵌合部８の内側の空洞の下部に設けられている。このように構成されていることにより、嵌合部８の空洞部に液だまりが発生することが防止される。
【００４３】
図１３、図１４に示すように、アダプター３０は注出口２０との螺子嵌合部２２とそれに連設されたノズル部２１からなる。ノズル部２１の先端２１ａは小径用ノズル又は大径用ノズルに形成されており、ノズル部２１の外周にはチューブの滑り止め用の横リブ２１ｂが形成されている。さらに、注出口２０との螺子嵌合部２２の外周には注出口２０への螺子嵌合を容易にするようにローレット２３が切られている。また、アダプター３０は連結部２５を介して小蓋２４が付いており、先端２１ａを小蓋２４で再封し得るように構成されている。
【００４４】
図２０は注出口２０の付いた袋状の軟質容器４０を示す。尚、図２０において４０ａ、４０ｂ、４０ｃは軟質容器のシール部を示し、４１は柔軟容器４０の吊り下げ用穴を示す。
【００４５】
この注出口付き軟質容器の製造方法について説明する。先ず包装材料を二つ折りし両端をシールしてシール部４０ｂをシールした後注出口２０のシール部１５を挿入する。
【００４６】
次にシール部１５の外周のシール面を軟質容器４０の内面に仮止めする。その後シール面を軟質容器４０の内面にシールすると共にシール部４０ｃをシールする。次に軟質容器４０の内面とシール部１５とのシール部分を冷却する。このようにして一側辺はシールしていない状態の袋体を形成し、この未シールの側辺から内容物を充填しながらシール部４０ａをシールする。このようにして本発明の注出口付き包装体は、２ピース型の包装体に比較してノズル部と注入口を容器に装着する手間を省いてより低い製造コストで提供することができる。
【００４７】
注出口は高密度ポリエチレン、中密度ポリエチレン、低密度ポリエチレンと高密度ポリエチレンのブレンドポリマー、ポリプロピレン等を射出成形して形成することができる。
【００４８】
また、軟質容器４０の材料として、２軸延伸高密度ポリエチレン、２軸延伸ポリプロピレン、２軸延伸ナイロンフィルム等のレトルト殺菌に耐える材料を主材とした、表面層／シーラント層、または、表面層／中間層／シーラント層のような層構成の積層フィルムを用いることができる。また、前記材料にガスバリア性を付与するために中間層としてナイロン、エチレン−酢酸ビニルアルコール共重合体、酸化珪素薄膜、酸化アルミニウム薄膜等を積層した積層フィルムも軟質容器４０の材料として適用することができる。
【００４９】
図２１は薄肉部を破断して蓋部１を取り除いた状態を示す。
【００５０】
図２２は注出口２０にアダプター３０を取付け、アダプター３０のノズル部にチューブ５０を取り付けた状態を示す。
【００５１】
本発明の注出口は、レトルト耐性を有する樹脂からなる成形体からなるものでなければならない。レトルト耐性を有する樹脂として高密度ポリエチレンと低密度ポリエチレンのブレンドポリマー（高密度ポリエチレン対低密度ポリエチレンブレンド比＝５／５〜９／１）が望ましい。このようなブレンドポリマーを用いてなる注出口はレトルト耐性を有するのみならず注出口本体からの蓋部の折り取りが容易であるという利点を有する。高密度ポリエチレン対低密度ポリエチレンブレンド比が５／５より小さくなり、低密度ポリエチレンのほうが高密度ポリエチレンよりも多くなるとレトルト耐性が劣る。また高密度ポリエチレン対低密度ポリエチレンブレンド比が９／１より大きくなると破断容易性が低下する。好ましい高密度ポリエチレン対低密度ポリエチレンブレンド比は６／４〜８／２である。
【００５２】
次に実施例を挙げて本発明につき具体的に説明する。
【実施例１】
【００５３】
ミキサーを用いて高密度ポリエチレンと低密度ポリエチレンを６対４の割合で加熱しながら練り合わせることによって高密度ポリエチレン−低密度ポリエチレンブレンドポリマーを形成し、これを成形材料として用いて射出成形により、図１乃至５に示すような注出口を成形した。
【００５４】
この成形した注出口を、ナイロン６フィルムの片面に膜厚１０ｎｍの酸化珪素膜を設けその上にプライマー層を介して低密度ポリエチレンを積層し、ナイロン６フィルムのもう一方の面にアクリル系樹脂をビヒクルの主成分とする樹脂組成物による耐水性コーティング膜を設けた包装材料からなるパウチに取付け注出口付き包装袋を形成した。この包装袋に経口的に摂取することができない患者用の注入食を封入した後、レトルト処理（１２０℃以上、４分以上の高温、高圧下でのレトルト殺菌処理）を施した。
【００５５】
レトルト処理後注出口の形状を調べた。検査の結果、形状の変形は全く見られなかった。また、注出口のパウチへの固着部の剥離、接着強度の低下も見られなかった。
【００５６】
次にキャップ１を注出口本体２に対して折り曲げることにより破壊し注出口を開封する試験を行った。その結果難なくキャップ１を注出口から折り取ることができた。キャップの折り取る過程で包装内容物が飛び出したり、キャップ及び注出口本体の変形が生じたりするトラブルが発生することがなく、開封後は図１１に示すようにキャップの嵌合部８を円筒部１２内に挿入し注出口を密封することができた。
【００５７】
更に図１３に示すように注入食入りの本発明付きの袋状軟質容器４０にアダプター３０を介してチューブ栄養用チューブ５０を取付け、患者のチューブ栄養法による栄養摂取に供することができた。
【実施例２】
【００５８】
実施例１と同様にして、但し成形材料として高密度ポリエチレンと低密度ポリエチレンを８対２の割合で練り合わせてなる高密度ポリエチレン−低密度ポリエチレンブレンドポリマーを用いて注出口を成形した。
【００５９】
この成形した注出口を、ナイロン６フィルムの片面に膜厚１０ｎｍの酸化珪素膜を設けその上にプライマー層を介して低密度ポリエチレンを積層し、ナイロン６フィルムのもう一方の面にアクリル系樹脂をビヒクルの主成分とする樹脂組成物による耐水性コーティング膜を設けた包装材料からなるパウチに取付け注出口付き包装袋を形成した。この包装袋に経口的に摂取することができない患者用の注入食を封入した後、レトルト処理を施した。
【００６０】
レトルト処理後注出口の形状を調べた。検査の結果、形状の変形は全く見られなかった。また、注出口のパウチへの固着部の剥離、接着強度の低下も見られなかった。
【００６１】
次にキャップ１を注出口本体２に対して折り曲げることにより破壊し注出口を開封する試験を行った。その結果難なくキャップ１を注出口から折り取ることができた。キャップの折り取る過程で包装内容物が飛び出したり、キャップ及び注出口本体の変形が生じたりするトラブルが発生することがなく、開封後は図１１に示すようにキャップの嵌合部８を円筒部１２内に挿入し注出口を密封することができた。
【００６２】
更に図１３に示すように注入食入りの本発明付きの袋状軟質容器４０にアダプター３０を介してチューブ栄養用チューブ５０を取付け、患者のチューブ栄養法による栄養摂取に供することができた。
【００６３】
［比較例１］
実施例１として同様にして、但し成形材料として高密度ポリエチレンと低密度ポリエチレンを４対６の割合で練り合わせてなる高密度ポリエチレン−低密度ポリエチレンブレンドポリマーを用いて注出口を成形した。
【００６４】
この成形した注出口を、ナイロン６フィルムの片面に膜厚１０ｎｍの酸化珪素膜を設けその上にプライマー層を介して低密度ポリエチレンを積層し、ナイロン６フィルムのもう一方の面にアクリル系樹脂をビヒクルの主成分とする樹脂組成物による耐水性コーティング膜を設けた包装材料からなるパウチに取付け注出口付き包装袋を形成した。この包装袋に経口的に摂取することができない患者用の注入食を封入した後、レトルト処理を施した。
【００６５】
レトルト処理後、注出口の形状を調べた。検査の結果、キャップ及び注出口本体の形状の変形が認められた。
【００６６】
［比較例２］
実施例１として同様にして、但し成形材料として高密度ポリエチレンと低密度ポリエチレンを９．５対０．５の割合で練り合わせてなる高密度ポリエチレン−低密度ポリエチレンブレンドポリマーを用いて注出口を成形した。
【００６７】
この成形した注出口を、ナイロン６フィルムの片面に膜厚１０ｎｍの酸化珪素膜を設けその上にプライマー層を介して低密度ポリエチレンを積層し、ナイロン６フィルムのもう一方の面にアクリル系樹脂をビヒクルの主成分とする樹脂組成物による耐水性コーティング膜を設けた包装材料からなるパウチに取付け注出口付き包装袋を形成した。この包装袋に経口的に摂取することができない患者用の注入食を封入した後、レトルト処理を施した。
【００６８】
レトルト処理後注出口の形状を調べた。検査の結果、キャップ及び注出口本体の形状の変形は認められなかった。
【００６９】
しかし、キャップ１を注出口本体２に対して折り曲げることにより破壊し注出口を開封する試験ではキャップを注出口本体から折り取ることができたものの折り取りは容易ではなかった。
【産業上の利用可能性】
【００７０】
本発明の注出口及び注出口付き軟質容器は、胃、十二指腸、或いは小腸内にゴム管又は合成樹脂製細管に挿入・固定し、この管を通して栄養する、チューブ栄養法用の注出口及び注出口付き軟質容器として利用することができる。
【図面の簡単な説明】
【００７１】
【図１】本発明の注出口の側面図である。
【図２】図１のＡ−Ａ線矢視縦断面図である。
【図３】本発明の注出口の平面図である。
【図４】本発明の注出口の底面図である。
【図５】図２のＢ−Ｂ線で切断して示す薄肉部の断面図である。
【図６】他の薄肉部の例を示す断面図である。
【図７】更に他の薄肉部の例を示す断面図である。
【図８】シール部の一部の横断面の拡大図である。
【図９】内面を六角筒形に形成した円筒部の断面図である。
【図１０】内面を十字型に形成した円筒部の断面図である。
【図１１】蓋部を注出口本体から分離した後嵌合部を円筒部内に挿入した状態の縦断面図である。
【図１２】本発明の注出口の変形態様の側面図である。
【図１３】アダプターの側面図である。
【図１４】注出口にアダプターを螺子嵌合した状態を示す縦断面図である。
【図１５】把持突起付き治具を取っ手に装着した状態の側面図である。
【図１６】把持突起を持って蓋部を容器本体から折取る過程の側面図である。
【図１７】板状把持突起を備える注出口の側面図である。
【図１８】把持突起装着穴を備える注出口の側面図である。
【図１９】把持突起装着穴を備える注出口に把持突起を装着した状態を示す側面図である。
【図２０】本発明の注出口付き軟質容器の平面図である。
【図２１】蓋部を注出口から取り除いた図１４に示す注出口付き軟質容器の平面図である。
【図２２】蓋部を注出口から取り除き、更に注出口にアダプターを取付け、更にアダプターにチューブを取り付けた状態を示す平面図である。
【図２３】従来から常用されているチューブ栄養用軟質容器の平面図である。
【符号の説明】
【００７２】
１        蓋部
２        注出口本体
３        取っ手
３ａ      取っ手の内側の空洞の内面
３ｂ      取っ手の内側の空洞の内面
４        鍔
５        鍔
６        横リブ
７        底板
８        嵌合部
９        薄肉部
１０      誘いテーパ
１１      アダプター嵌合用テーパ
１２      円筒部
１３      雄螺子
１４      フランジ
１５      シール部
１６      ヒレ
２０      注出口
２１      ノズル部
２１ａ    ノズル部の先端
２１ｂ    横リブ
２２      注出口との螺子嵌合部
２３      ローレット
２４      小蓋
２５      連結部
２６      把持突起付き治具
２６ａ    把持突起
２７      把持突起
２８ａ，２８ｂ    把持突起装着穴
２９      把持突起
３０      アダプター
４０      軟質容器
４０ａ    シール部
４０ｂ    シール部
４０ｃ    シール部
４１      吊り下げ用穴
５０      チューブ
６０      ノズル部
７０      注入口
【図１】
2005298061.tif 000003
【図２】
2005298061.tif 000004
【図３】
2005298061.tif 000005
【図４】
2005298061.tif 000006
【図５】
2005298061.tif 000007
【図６】
2005298061.tif 000008
【図７】
2005298061.tif 000009
【図８】
2005298061.tif 000010
【図９】
2005298061.tif 000011
【図１０】
2005298061.tif 000012
【図１１】
2005298061.tif 000013
【図１２】
2005298061.tif 000014
【図１３】
2005298061.tif 000015
【図１４】
2005298061.tif 000016
【図１５】
2005298061.tif 000017
【図１６】
2005298061.tif 000018
【図１７】
2005298061.tif 000019
【図１８】
2005298061.tif 000020
【図１９】
2005298061.tif 000021
【図２０】
2005298061.tif 000022
【図２１】
2005298061.tif 000023
【図２２】
2005298061.tif 000024
【図２３】
2005298061.tif 000025